(57)【要約】【課題】バッテリパックのベアセルと保護回路モジュールとの間に「コ」状の内部フレームを備え、内部フレームがコアパックを取り囲む「ロ」字状の外部フレームとの組み立てが容易になるように内部フレーム又は外部フレームのそれぞれに突起又は溝を形成して、内部フレームと外部フレームの結合時に型合わせを向上させることができるバッテリパックを提供する。【解決手段】向かい合う一対の第１側面部と前記第１側面部の端部と連結され、向かい合う一対の第２側面部及び向かい合う一対の平面部を備えるベアセルと、前記ベアセルと電気的に連結される保護回路モジュールと、前記ベアセルと前記保護回路モジュールとの間に設置され、前記一対の第１側面部のうち、一側面部を露出し、前記ベアセルを収容する内部フレームと、前記一対の平面部を露出し、前記ベアセル、保護回路モジュール及び内部フレームを収容する外部フレームと、を備える。【選択図】図１
2011119204.tif 000002
【特許請求の範囲】
【請求項１】
向かい合う一対の第１側面部と前記第１側面部の端部と連結され、向かい合う一対の第２側面部及び向かい合う一対の平面部を備えるベアセルと、
前記ベアセルと電気的に連結される保護回路モジュールと、
前記ベアセルと前記保護回路モジュールとの間に設置され、前記一対の第１側面部のうち、一側面部を露出し、前記ベアセルを収容する内部フレームと、
前記一対の平面部を露出し、前記ベアセル、保護回路モジュール及び内部フレームを収容する外部フレームと、
を備えるバッテリパック。
【請求項２】
前記一対の第２側面部のうち、一側面部には電極端子が形成されることを特徴とする請求項１に記載のバッテリパック。
【請求項３】
前記外部フレームは一体型に形成されることを特徴とする請求項１に記載のバッテリパック。
【請求項４】
前記内部フレームの外側の一領域及び前記内部フレームの外側の一領域に対応する前記外部フレーム内側の他の領域には互いに結合され得る少なくとも１つの結合手段を更に含むことを特徴とする請求項１に記載のバッテリパック。
【請求項５】
前記ベアセルの第２側面部と当接する前記内部フレームの外側に形成される突起部と、前記突起部に対応する前記外部フレームの内側に形成される溝部とを更に含むことを特徴とする請求項１に記載のバッテリパック。
【請求項６】
前記ベアセルの第２側面部と当接する前記内部フレームの外側に形成される溝部と、前記溝部に対応する前記外部フレームの内側に形成される突起部とを更に含むことを特徴とする請求項１に記載のバッテリパック。
【請求項７】
前記内部フレームの両側端部に形成される突起部と、前記突起部に対応する前記外部フレームの内側に形成される溝部とを更に含むことを特徴とする請求項１に記載のバッテリパック。
【請求項８】
前記内部フレームの両側端部に形成される溝部と、前記溝部に対応する前記外部フレームの内側に形成される突起部とを更に含むことを特徴とする請求項１に記載のバッテリパック。
【請求項９】
前記突起部は、ラウンド状に形成されることを特徴とする請求項５〜８の何れか１項に記載のバッテリパック。
【請求項１０】
前記突起部と溝部は強制嵌合により結合されることを特徴とする請求項５〜８の何れか１項に記載のバッテリパック。
【請求項１１】
前記内部フレームは、前記ベアセルの一対の平面部を更に露出し、前記内部フレームには前記ベアセルの平面部側に向かい合って延びる少なくとも一対のリブが形成されることを特徴とする請求項１に記載のバッテリパック。
【請求項１２】
前記ベアセルの第１側面部と当接する前記内部フレームには前記ベアセルの平面部と垂直な少なくとも１つの突出部が形成され、前記突出部に対応する位置の前記外部フレームにホールが形成されることを特徴とする請求項１に記載のバッテリパック。
【請求項１３】
前記保護回路モジュールは、前記内部フレームの外側に安着されることを特徴とする請求項１に記載のバッテリパック。
【請求項１４】
前記内部フレームと前記保護回路モジュールは溶接により付着されることを特徴とする請求項１に記載のバッテリパック。
【請求項１５】
前記内部フレームと前記保護回路モジュールは絶縁テープにより付着されることを特徴とする請求項１に記載のバッテリパック。
【請求項１６】
前記内部フレーム及び外部フレームは、ＰＣ（Ｐｏｌｙｃａｒｂｏｎａｔｅ）、ＰＥＴＧ（Ｐｏｌｙｅｔｈｙｌｅｎｅ  Ｔｅｒｅｐｈｔｈａｌａｔｅ  Ｇｌｙｃｏｌ）、ＰＥ（ＰｏｌｙＥｔｈｙｌｅｎｅ）、ＰＰ（ＰｏｌｙＰｒｏｐｙｌｅｎｅ）、及びＡＢＳ（Ａｃｒｏｎｉｔｒｉｌｅ−Ｂｕｔａｄｉｅｎｅ−Ｓｔｙｒｅｎ）で構成される群より選択されるいずれか１つで形成されたことを特徴とする請求項１に記載のバッテリパック。
【請求項１７】
前記ベアセル及び前記外部フレームの外側を覆うテーピング部材を更に含むことを特徴とする請求項１に記載のバッテリパック。
【発明の詳細な説明】
【技術分野】
【０００１】
本発明はバッテリパックに関し、より具体的には、バッテリパック内部の部品同士の結合時に型合わせを向上させて工程を単純化できるバッテリパックに関する。
【背景技術】
【０００２】
最近、モバイル機器に対する技術開発と需要の増加に伴い、エネルギー源としての二次電池の需要が急激に増加している。
【０００３】
このような二次電池は、ケースに装着された形態に応じて一般に外付バッテリパックと内蔵バッテリパックとに分類される。このうち、内蔵バッテリパックは、外部機器の内部に装着した状態で外部機器の一部を形成する蓋を覆って用いるので、装着が相対的に煩雑であるという短所はあるものの、設計が容易であるほか、安価であり、互換性がよいという長所がある。
【０００４】
一般に、内蔵バッテリパックは、充放電可能なベアセルと、ベアセルに電気的に結合されて充放電を制御し、過充放電時に回路を遮断する保護回路モジュールと、ベアセルと保護回路モジュールとの間の隙間に充填される樹脂と、ベアセルと保護回路モジュール及び樹脂をパックキングして外部機器に装着可能な形態に成形される外部フレームとを含んでなる。
【０００５】
このようなバッテリパックを製造するために、まずベアセルの正極にリードを接続し、負極にＰＴＣサーミスタを接続した状態で、保護回路モジュールをリード及びＰＴＣサーミスタに電気的に接続する。次いで、保護回路モジュールがベアセルから分離されないように保護回路モジュールとベアセルとの間の隙間に樹脂を充填して機械的に固定する。また、外部機器に装着可能な形態を有する外部フレームを用いて一体のベアセルと保護回路モジュールをパックキングする。ここで、外部フレームは、ベアセルと保護回路モジュール及び樹脂と共に他の樹脂でモールドされて一体に形成される。
【０００６】
このようなバッテリパックは、顧客の外観仕様に応じて多様な形態に製作され得るが、近年は部品同士の組み立てが容易、且つ、堅固な形態のバッテリパックが要求されている状況である。
【先行技術文献】
【特許文献】
【０００７】
【特許文献１】大韓民国特許公開第２００７−００７５７０７号
【特許文献２】大韓民国特許公開第２００９−００３１１５８号
【特許文献３】大韓民国特許公開第２００７−０１０８８００号
【特許文献４】大韓民国特許公開第２００５−００３７３６６号
【発明の概要】
【発明が解決しようとする課題】
【０００８】
そこで、本発明は上記事情に鑑みてなされたものであって、その目的は、バッテリパックのベアセルと保護回路モジュールとの間に「コ」状の内部フレームを備え、内部フレームがコアパックを取り囲む「ロ」字状の外部フレームとの組み立てが容易になるように内部フレーム又は外部フレームのそれぞれに突起又は溝を形成して、内部フレームと外部フレームの結合時に型合わせを向上させることができるバッテリパックを提供することにある。
【課題を解決するための手段】
【０００９】
前記目的を達成するために、本発明に係るバッテリパックは、向かい合う一対の第１側面部と前記第１側面部の端部と連結され、向かい合う一対の第２側面部及び向かい合う一対の平面部を備えるベアセルと、前記ベアセルと電気的に連結される保護回路モジュールと、前記ベアセルと前記保護回路モジュールとの間に設置され、前記一対の第１側面部のうち、一側面部を露出し、前記ベアセルを収容する内部フレームと、前記一対の平面部を露出し、前記ベアセル、保護回路モジュール及び内部フレームを収容する外部フレームとを備える。
【００１０】
ここで、前記一対の第２側面部のうち、一側面部には電極端子が形成され得る。
【００１１】
そして、前記外部フレームは一体型に形成され得る。
【００１２】
また、前記内部フレームの外側の一領域及び前記内部フレームの外側の一領域に対応する前記外部フレーム内側の他の領域には互いに結合され得る少なくとも１つの結合手段を更に含むことができる。
【００１３】
即ち、前記ベアセルの第２側面部と当接する前記内部フレームの外側に形成される突起部と、前記突起部に対応する前記外部フレームの内側に形成される溝部とを更に含むことができる。
【００１４】
また、前記ベアセルの第２側面部と当接する前記内部フレームの外側に形成される溝部と、前記溝部に対応する前記外部フレームの内側に形成される突起部とを更に含むことができる。
【００１５】
更に、前記内部フレームの両側端部に形成される突起部と、前記突起部に対応する前記外部フレームの内側に形成される溝部とを更に含むことができる。
【００１６】
また、前記内部フレームの両側端部に形成される溝部と、前記溝部に対応する前記外部フレームの内側に形成される突起部とを更に含むことができる。
【００１７】
ここで、前記突起部はラウンド状に形成され、前記突起部と溝部は強制嵌合により結合され得る。
【００１８】
そして、前記内部フレームは、前記ベアセルの一対の平面部を更に露出し、前記内部フレームには前記ベアセルの平面部側に向かい合って延びる少なくとも一対のリブが形成され得る。
【００１９】
また、前記ベアセルの第１側面部と当接する前記内部フレームには前記ベアセルの平面部と垂直な少なくとも１つの突出部が形成され、前記突出部に対応する位置の前記外部フレームにホールが形成され得る。
【００２０】
更に、前記保護回路モジュールは、前記内部フレームの外側に安着され得る。
【００２１】
このとき、前記内部フレームと前記保護回路モジュールは溶接により付着されるか、絶縁テープにより付着され得る。
【００２２】
前記内部フレーム及び外部フレームは、ＰＣ（Ｐｏｌｙｃａｒｂｏｎａｔｅ）、ＰＥＴＧ（Ｐｏｌｙｅｔｈｙｌｅｎｅ  Ｔｅｒｅｐｈｔｈａｌａｔｅ  Ｇｌｙｃｏｌ）、ＰＥ（ＰｏｌｙＥｔｈｙｌｅｎｅ）、ＰＰ（ＰｏｌｙＰｒｏｐｙｌｅｎｅ）、及びＡＢＳ（Ａｃｒｏｎｉｔｒｉｌｅ−Ｂｕｔａｄｉｅｎｅ−Ｓｔｙｒｅｎ）で構成される群より選択されるいずれか１つで形成されることができる。
【００２３】
そして、前記ベアセル及び前記外部フレームの外側を覆うテーピング部材を更に含むことができる。
【発明の効果】
【００２４】
以上で説明した通り、本発明によれば、バッテリパックのベアセルと保護回路モジュールとの間に「コ」状の内部フレームを備え、この内部フレームがコアパックを取り囲む「ロ」字状の外部フレームとの組み立てが容易になるように内部フレーム又は外部フレームのそれぞれに突起部又は溝部を形成して、内部フレームと外部フレームの結合時に型合わせを向上させることで、工程を単純化してバッテリパックの生産性を向上させるだけでなく、堅固にバッテリパックを固定させることができるため、競争力を確保できるという効果を奏する。
【図面の簡単な説明】
【００２５】
【図１】本発明の第１実施形態に係るバッテリパックを示す分解斜視図である。
【図２】本発明の第１実施形態に係るベアセルと内部フレームが結合された状態を示す斜視図である。
【図３】本発明の第１実施形態に係るコアパックと外部フレームが結合される直前の状態を示す斜視図である。
【図４】本発明の第１実施形態に係る内部フレームの突起部と外部フレームの溝部を示す斜視図である。
【図５】本発明に係るバッテリパックを示す斜視図である。
【図６】本発明の第２実施形態に係るコアパックと外部フレームが結合される直前の状態を示す斜視図である。
【図７】本発明の第２実施形態に係る内部フレームの突起部と外部フレームの溝部を示す斜視図である。
【発明を実施するための形態】
【００２６】
以下では、本発明の実施形態を示す図面を参照して本発明に係るバッテリパックを具体的に説明する。
【００２７】
図１は、本発明の第１実施形態に係るバッテリパックを示す分解斜視図である。
【００２８】
図１を参照すれば、本発明の第１実施形態に係るバッテリパックは、電極組立体とその外周面を覆う缶又はパウチで構成されたベアセル１０と、ベアセル１０と電気的に連結された保護回路モジュール３０、「コ」状の内部フレーム２０及び「ロ」字状の外部フレーム４０を含む。
【００２９】
ベアセル１０は、向かい合う一対の第１側面部１０ａ、１０ｂと、第１側面部１０ａ、１０ｂの端部と連結され、向かい合う一対の第２側面部１０ｃ、１０ｄと、向かい合う一対の平面部１０ｅ、１０ｆを備え、第２側面部１０ｃ、１０ｄのうち、一側面部１０ｃに露出した電極端子１１を備える。そして、内部フレーム２０は、ベアセル１０の一対の第１側面部１０ａ、１０ｂのうち、一側面部１０ｂ及び一対の平面部１０ｅ、１０ｆを露出させるように「コ」状に形成され、このような内部フレーム２０の外側には保護回路モジュール３０が安着される。このとき、内部フレーム２０と保護回路モジュール３０は、溶接又は絶縁テープにより付着され得る。
【００３０】
また、外部フレーム４０は、ベアセル１０、保護回路モジュール２０及び内部フレーム１０を収容しながら、ベアセル１０の一対の平面部１０ｅ、１０ｆを露出させるように「ロ」字状に形成される。内部フレーム２０と外部フレーム４０は、突起部２１と溝部４１で構成された少なくとも１つの結合手段により互いに組み立てられる。ベアセル１０の一対の第２側面部１０ｃ、１０ｄと当接する内部フレーム２０の外側には突起部２１が形成されており、突起部２１に対応する外部フレーム４０の内側には溝部４１が形成されているため、突起部２１と溝部４１の強制嵌合により組み立てられる。そして、外部フレーム４０には後述する外部入出力端子部３１を外部に露出させることができる端子露出部４２が備えられる。
【００３１】
本発明の第１実施形態では内側フレーム２０に突起部２１、外側フレーム４０に溝部４１が形成された構造について示したが、内部フレーム２０の外側に形成された溝部と、溝部に対応する外部フレーム４０の内側に形成された突起部の結合により内側フレーム２０と外側フレーム４０が組み立てられるのはもちろんである。また、内部フレーム２０の向かい合う少なくとも一対の辺にはベアセル１０の平面部１０ｅ、１０ｆ側に延びるリブ２２が追加で形成され得る。これにより、別途の接着手段がなくてもベアセル１０と内部フレーム２０が固定され得る。
【００３２】
また、ベアセル１０の第２側面部１０ｃ、１０ｄのうち、一側面部１０ｃには電極端子１１が備えられる。電極端子１１は、保護回路モジュール３０と電気的に連結され、内部フレーム２０がベアセル１０と保護回路モジュール３０との間に位置して電極端子１１外の領域を絶縁させる。保護回路モジュール３０は、ベアセル１０の電極端子１１との電気的な接続のために設置された電気接続端子（図示せず）を含み、その上部に外部入出力端子部３１を更に含む。
【００３３】
前記のように、「コ」状の内部フレーム２０を間に挟んで保護回路モジュール３０と電気的に連結されるベアセル１０にはバッテリパックの外観の一部を形成するように「ロ」字状の外部フレーム４０が結合され、ベアセル１０及び外部フレーム４０の外側をテーピング部材５０で覆ってベアセル１０と外部フレーム４０との結合力を補強できる。
【００３４】
説明を省略した符号である突出部２３及びホール４３については図３及び図４を参照して更に詳細に説明する。
【００３５】
以下の図２〜図５では、本発明の第１実施形態に係るバッテリパックの組立状態について更に詳細に説明する。
【００３６】
図２は、本発明の第１実施形態に係るベアセルと内部フレームが結合された状態を示す斜視図である。
【００３７】
図２を参照すれば、ベアセル１０の一対の第１側面部のうち、一側面部１０ｂ及び一対の平面部１０ｅ、１０ｆを露出させるように内部フレーム２０が形成されている。即ち、ベアセル１０の一対の第２側面部１０ｃ、１０ｄ、一対の第２側面部のうち、一側面部１０ａを覆うように内部フレーム２０がベアセル１０の外側に形成される。このとき、内部フレーム２０の向かい合う少なくとも一対の辺にはベアセル１０の平面部１０ｅ、１０ｆ方向に延びるリブ２２が形成されることにより、内部フレーム２０が別途の接着手段なしにもベアセル１０に固定されるようにすることができる。本発明の第１実施形態ではベアセル１０の一対の第２側面部１０ｃ、１０ｄと内部フレーム２０が接する辺から延びるように４つのリブ２２が形成されたが、向かい合う一対又は三対の内部フレーム２０辺にリブ２２が形成され得るのはもちろんである。（図１参照）
【００３８】
また、ベアセル１０の第２側面部１０ｃ、１０ｄと当接する内部フレーム２０の外側の一領域にはラウンド状の突起部２１が形成されており、後述される外部フレーム４０の内側に形成された溝部４１と結合されて、内部フレーム２０と外部フレーム４０を容易に組み立てさせる。これにより、内部フレーム２０と外部フレーム４０の組立時に型合わせが向上し得る。
【００３９】
ベアセル１０について簡略に説明すれば、ベアセル１０は缶状であってもよく、パウチ状であってもよいが、本発明の第１実施形態では缶状を例に挙げて説明する。
【００４０】
ベアセル１０は電極組立体と、電極組立体を収容する缶を備え、電極組立体は両面に正極活物質がコーティングされた正極板、セパレータ、両面に負極活物質がコーティングされた負極板を含んでなる。正極板と負極板のそれぞれから延びる領域には電極タブが接合され、電極タブのうちの１つは缶又はキャッププレートと連結され、もう１つは電極端子１１（図１参照）に連結され、缶の外部に引き出されて保護回路モジュール３０と電気的に連結される。
【００４１】
保護回路モジュール３０は、ベアセル１０の一対の第１側面部１０ａ、１０ｂのうち、一側面部１０ｂ及び一対の平面部１０ｅ、１０ｆを露出させるように形成された内部フレーム２０の外側に安着される。このとき、内部フレーム２０と保護回路モジュール３０は、溶接又は絶縁テープにより付着され得る。このように、ベアセル１０と保護回路モジュール３０が結合された形態を通常コアパックと呼ぶので、以下の説明ではベアセル１０、内部フレーム２０、保護回路モジュール３０を合わせてコアパックという用語を用いることにする。
【００４２】
保護回路モジュール３０は、ベアセル１０の電極端子と物理的に結合されると同時に、ベアセル１０の電極端子と電気的に接続され、印刷回路基板（図示せず）を含んでなる。印刷回路基板にはバッテリに対する充電及び放電を制御することで、充電状態を均一にする回路、又は過放電及び過充電を防止する回路のような保護回路が形成されている。また、保護回路モジュール３０は、サーミスタ又は温度フューズのような保護素子を含むことができる。これらは電池の高温上昇や過度な充放電により電池の電圧、電流が規定以上となる場合に電流を遮断することで、電池の破裂、発火などの危険を防止する。更に、保護回路モジュールは、印刷回路基板にベアセル１０の電極タブとの電気的な接続のために設置された電気接続端子（図示せず）を含んでなる。
【００４３】
そして、保護回路モジュール３０は、ベアセル１０と外部機器（図示せず）との間に電気的信号をやり取りするためのものであって、このために、上部に保護回路モジュール３０と外部機器との電気的な媒介体としての役割を果す外部入出力端子部３１を更に含んでなる。外部入出力端子部３１は、金属部３１ａと、金属部３１ａを覆うハウジング部３１ｂを含んでなる。金属部３１ａは伝導性材質である金（Ａｕ）でメッキされてベアセル１０と外部機器との間に電気信号が流れるようにする役割を果たし、ハウジング部３１ｂは絶縁性材質であるプラスチック材質からなって、ハウジング部３１ｂに一定間隔で介在された金属部３１ａを互いに絶縁する役割を果たす。
【００４４】
図３は、本発明の第１実施形態に係るコアパックと外部フレームが結合される直前の状態を示す斜視図であり、図４は、本発明の第１実施形態に係る内部フレームの突起部と外部フレームの溝部を示す斜視図である。
【００４５】
図３及び図４を参照すれば、内部フレーム２０は、ベアセル１０の一対の平面部１０ｅ、１０ｆ及び一対の第１側面部１０ａ、１０ｂのうち、一側面部１０ｂを露出させるように「コ」状に形成され、外部フレーム４０はベアセル１０、保護回路モジュール３０及び内部フレーム２０を収容し、ベアセル１０の一対の平面部１０ｅ、１０ｆを露出させるように「ロ」字状に形成される。
【００４６】
そして、ベアセル１０の第２側面部１０ｃ、１０ｄと当接する内部フレーム２０の外側に形成された突起部２１が外部フレーム４０の内側に形成された溝部４１に強制嵌合されて結合されるように互いに対応する位置に形成される。このとき、突起部２１の形状がラウンド状に形成されているので、内部フレーム２０に外部フレーム４０を組み立てる時に加えられる圧力により一時的に干渉が発生し、突起部２１が溝部４１に嵌め込まれる。即ち、コアパックを外部フレーム４０に挿入する時、内部フレーム２０の突起部２１が外部フレーム４０の溝部４１と結合され、正確な位置に組み立てられてバッテリパックを完成できる。ここで、「ロ」字状の外部フレーム４０は「コ」状の内部フレーム２０と結合されて製品の寸法を満足する形状を有することが好ましい。
【００４７】
また、ベアセル１０の第１側面部１０ａと当接する内部フレーム２０の１つの辺にはベアセル１０の平面部１０ｅ、１０ｆと垂直な突出部２３が形成され、突出部２３に対応する外部フレーム４０にはホール４３が更に形成されて内部フレーム２０と外部フレーム４０をより堅固に結合させることができる。
【００４８】
内部フレーム２０は、ベアセル１０と保護回路モジュール３０を絶縁させる役割を果し、外部フレーム４０は、バッテリパックの外郭形態及び強度のために設置される。内部フレーム２０と外部フレーム４０は、ＰＣ（Ｐｏｌｙｃａｒｂｏｎａｔｅ）、ＰＥＴＧ（Ｐｏｌｙｅｔｈｙｌｅｎｅ  Ｔｅｒｅｐｈｔｈａｌａｔｅ  Ｇｌｙｃｏｌ）、ＰＥ（ＰｏｌｙＥｔｈｙｌｅｎｅ）、ＰＰ（ＰｏｌｙＰｒｏｐｙｌｅｎｅ）、及びＡＢＳ（Ａｃｒｏｎｉｔｒｉｌｅ−Ｂｕｔａｄｉｅｎｅ−Ｓｔｙｒｅｎ）で構成される群より選択されるいずれか１つで形成されることができる。これにより、内部フレーム２０と外部フレーム４０の組立時に素材から発生する若干の弾性力により容易に組立できる。
【００４９】
図５は、本発明に係るバッテリパックを示す斜視図である。
【００５０】
図５を参照すれば、コアパックが「ロ」字状の外部フレーム４０に挿入された後、テーピング部材５０がその外側を覆うことができる。テーピング部材５０は、コアパックと外部フレーム４０の結合状態を補強するために用いられるが、外部フレーム４０とコアパック間の締結部のみを局部的に覆う形態であってもよく、外部フレーム４０とコアパックの外面全体を覆う単一のシート状であってもよい。ここで、テーピング部材５０の形状については限定しない。
【００５１】
このようなテーピング部材５０は、二次電池の放電容量や製造日付などが印刷され得るだけでなく、二次電池に対する保護や絶縁機能などを含む包装用ラベルであり得る。包装用ラベルの素材としては、通常包装材として用いられる合成樹脂又は紙などを用いることができるが、好ましくは、収縮チューブを用いることがよい。
【００５２】
図６は、本発明の第２実施形態に係るコアパックと外部フレームが結合される直前の状態を示す斜視図であり、図７は、本発明の第２実施形態に係る内部フレームの突起部と外部フレームの溝部を示す斜視図である。
【００５３】
図６及び図７を参照すれば、本発明の第２実施形態に係るバッテリパックは、第１実施形態に係るバッテリパックと同一の構成を有するが、突起部２４及び溝部４４の形成位置が異なる。
【００５４】
即ち、第２実施形態の内部フレーム２０は、ベアセル１０の一対の平面部１０ｅ、１０ｆ及び一対の第１側面部１０ａ、１０ｂのうち、一側面部１０ｂを露出させるように「コ」状に形成され、外部フレーム４０は、前記のように形成されたコアパックを収容し、ベアセル１０の一対の平面部１０ｅ、１０ｆを露出させるように「ロ」字状に形成される。このとき、「ロ」字状の外部フレーム４０の内側と保護素子モジュール３０が安着された「コ」状の内部フレーム２０の外側は結合時に一致する形状に形成される。そして、コアパックに結合されている外部フレーム４０は、製品の寸法を満足する形状を有することが好ましい。
【００５５】
このようなベアセル１０の第２側面部１０ｃ、１０ｄと当接する内部フレーム２０の端部には突起部２４が形成され、突起部２４が外部フレーム４０の内側に形成された溝部４４に嵌め込まれるように突起部２４と溝部４４は互いに対応する位置に形成される。このとき、突起部４４の形状がラウンド状に形成されているので、内部フレーム２０と外部フレーム４０を組み立てる時に加えられる圧力により一時的に干渉が発生し、突起部２４が溝部４４に嵌め込まれる。即ち、コアパックを外部フレーム４０に挿入する時、内部フレーム２０の突起部２４が外部フレーム４０の溝部４４と結合され、正確な位置に組み立てられてバッテリパックを完成できる。
【００５６】
本発明の第２実施形態ではベアセル１０の第２側面部１０ｃ、１０ｄと当接する内部フレーム２０の端部に形成された突起部２４及び突起部２４に対応する外部フレーム４０の内側に形成された溝部４４を説明したが、逆に、ベアセル１０の一対の第２側面部１０ｃ、１０ｄと当接する内部フレーム２０の端部に溝部が形成され、溝部に対応する外部フレーム４０の内側に突起部が形成されて互いに結合され得るのはもちろんである。
【００５７】
このように、内部フレーム２０と外部フレーム４０に突起部２４又は溝部４４が形成されることにより、内部フレーム２０と外部フレーム４０の結合時に型合わせを向上させることで、工程を単純化してバッテリパックの生産性を向上させるだけでなく、堅固にバッテリパックを固定させることができるため、競争力を向上させることができる。
【００５８】
以上説明したように、本発明の最も好ましい実施例について説明したが、本発明は、上記記載に限定されるものではなく、特許請求の範囲に記載され、又は明細書に開示された発明の要旨に基づき、当業者において様々な変形や変更が可能なのはもちろんであり、斯かる変形や変更が、本発明の範囲に含まれることは言うまでもない。
【符号の説明】
【００５９】
１０  ベアセル、
３０  保護回路モジュール、
２０  内部フレーム、
４０  外部フレーム
１０ａ、１０ｂ  第１側面部、
１０ｃ、１０ｄ  第２側面部、
１０ｅ、１０ｆ    平面部、
１１  電極端子、
２１  突起部
３１  外部入出力端子部、
３１ａ    金属部、
３１ｂ  ハウジング部
４１  溝部
４２  端子露出部
【図１】
2011119204.tif 000003
【図２】
2011119204.tif 000004
【図３】
2011119204.tif 000005
【図４】
2011119204.tif 000006
【図５】
2011119204.tif 000007
【図６】
2011119204.tif 000008
【図７】
2011119204.tif 000009